(57)【要約】【課題】掃除機本体にホース、延長管及び床用吸込具を接続した収納状態での持ち運び時の重量バランスを向上し、収納状態での持ち運び性の向上を図る電気掃除機を提供することを目的とする。【解決手段】電動送風機６を備えた掃除機本体５と、一端が掃除機本体５の接続口１０３に接続されるホース１０４と、一端がホース１０４の他端に接続される延長管１０２と、一端が延長管１０２の他端に接続される床用吸込具１０１とを備えた電機掃除機であって、掃除機本体５は、把手部３を有するハンドル１を前方に形成すると共に、掃除機本体５側面の把手部３の略下方位置に、延長管１０２に形成したストッパー１７を係止する係止溝１３を形成する。【選択図】図７
2014200471.tif 000002
【特許請求の範囲】
【請求項１】
電動送風機を備えた掃除機本体と、一端が前記掃除機本体の接続口に接続されるホースと、一端が前記ホースの他端に接続される延長管と、一端が前記延長管の他端に接続される床用吸込具とを備えた電機掃除機であって、
前記掃除機本体は、把手部を有するハンドルを前方に形成すると共に、前記把手部の略下方位置の前記掃除機本体側面に、前記延長管に形成したストッパーを係止する係止溝を形成したことを特徴とする電気掃除機。
【請求項２】
前記掃除機本体に前記ホース、前記延長管及び前記吸込具を接続し、前記ストッパーを前記係止溝に係合させた状態で、前記把手部の略下方位置に重心が位置するよう構成したことを特徴とする請求項１記載の電気掃除機。
【請求項３】
前記把手部は、前記掃除機本体に回動可能に軸支されたハンドルに備えられる請求項１または２に記載の電気掃除機。
【発明の詳細な説明】
【技術分野】
【０００１】
本発明は電気掃除機に関し、特に電気掃除機を持ち運ぶ際のバランスの改善に関するものである。
【背景技術】
【０００２】
従来、この種の電気掃除機は、掃除機本体にホース、延長管及び床用吸込具を接続した状態で、掃除機本体の後面を接地し、掃除機本体の底面に形成した係止溝に、延長管に形成したストッパーを係止することにより、一体的に収納している（例えば、特許文献１参照）。
【先行技術文献】
【特許文献】
【０００３】
【特許文献１】特開２０１０−２９３６９号公報
【発明の概要】
【発明が解決しようとする課題】
【０００４】
前記従来の構成において、掃除機本体にホース、延長管及び床用吸込具を接続して一体的に収納した状態で持ち運ぶ際には、掃除機本体の前面に形成した把手部を把持する。
【０００５】
しかしながら、把手部は掃除機本体の車輪が接地した状態で把持しやすいように掃除機本体の上方に位置しているのに対して、延長管係止用の係止溝は、掃除機本体の底面に形成されており、把手部を把持して持ち上げた際には、重量バランスが悪く、大きく傾斜して持ち運び難いと共に、傾斜が大きいために持ち運ぶ際の揺れ等により延長管の係止が外れて落下し、床面を傷つける虞があった。
【０００６】
本発明は、前記従来の課題を解決するもので、掃除機本体にホース、延長管及び床用吸込具を接続した収納状態での持ち運び時の重量バランスを向上し、収納状態での持ち運び性の向上を図る電気掃除機を提供することを目的とする。
【課題を解決するための手段】
【０００７】
前記従来の課題を解決するために、本発明の電気掃除機は、掃除機本体が把手部を有するハンドルを前方に形成すると共に、把手部の略下方位置の掃除機本体側面に、延長管に形成したストッパーを係止する係止溝を形成したものである。
【発明の効果】
【０００８】
本発明の電気掃除機は、電気掃除機の収納状態における持ち運び性を向上することができる等の効果を奏する。
【図面の簡単な説明】
【０００９】
【図１】本発明の実施の形態における電気掃除機の斜視図
【図２】本発明の実施の形態における掃除機本体の前方からの斜視図
【図３】本発明の実施の形態における掃除機本体の後方からの斜視図
【図４】本発明の実施の形態における掃除機本体の断面図
【図５】本発明の実施の形態における掃除機本体の水平状態の側面図で、（ａ）ハンドルを上方に回動させた状態の側面図、（ｂ）ハンドルを下方に回動させた状態の側面図
【図６】本発明の実施の形態における掃除機本体の分解斜視図
【図７】本発明の実施の形態における掃除機本体の直立状態の側面図
【図８】本発明の実施の形態における延長管の斜視図
【図９】本発明の実施の形態における掃除機本体に延長管の保持部を挿入した状態の断面図
【図１０】本発明の実施の形態における電気掃除機の収納状態の斜視図
【発明を実施するための形態】
【００１０】
第１の発明は、電動送風機を備えた掃除機本体と、一端が前記掃除機本体の接続口に接続されるホースと、一端が前記ホースの他端に接続される延長管と、一端が前記延長管の他端に接続される床用吸込具とを備えた電機掃除機であって、前記掃除機本体は、把手部を有するハンドルを前方に形成すると共に、前記把手部の略下方位置の前記掃除機本体側面に、前記延長管に形成したストッパーを係止する係止溝を形成したことを特徴とするものである。
【００１１】
この構成により、掃除機本体にホース、延長管及び床用吸込具を接続して一体的に収納した状態で把手部を把持して持ち運ぶ際に、電気掃除機が大きく傾くことがなく、バランスよく持ち運ぶことができ、持ち運び性を向上することができる。
【００１２】
第２の発明は、特に、第１の発明において、前記掃除機本体に前記ホース、前記延長管及び前記吸込具を接続し、前記ストッパーを前記係止溝に係合させた状態で、前記把手部の略下方位置に重心が位置するよう構成したことを特徴とするものである。
【００１３】
この構成により、収納状態で把手部を掴んで持ち運ぶ際に、電気掃除機が傾くことなく安定した状態で移動可能となり、持ち運び性を向上することができる。
【００１４】
第３の発明は、特に、第１または第２の発明において、前記把手部は、前記掃除機本体に回動可能に軸支されたハンドルに形成したことを特徴とするものである。
【００１５】
この構成により、収納状態で持ち運ぶ際の振動をハンドルの回動によって吸収することができ、持ち運び性を向上することができる。
【００１６】
以下、本発明の実施の形態について、図面を参照しながら説明する。なお、この実施の形態によって本発明が限定されるものではない。
【００１７】
（実施の形態）
図１は、本発明の実施の形態における電気掃除機の斜視図、図２は、本発明の実施の形態における掃除機本体の前方からの斜視図、図３は、本発明の実施の形態における掃除機本体の後方からの斜視図、図４は、本発明の実施の形態における掃除機本体の断面図、図５は、本発明の実施の形態における掃除機本体の水平状態の側面図で、（ａ）ハンドルを上方に回動させた状態の側面図、（ｂ）ハンドルを下方に回動させた状態の側面図、図６は、本発明の実施の形態における掃除機本体の分解斜視図、図７は、本発明の実施の形態における掃除機本体の直立状態の側面図、図８は、本発明の実施の形態における延長管の斜視図、図９は、本発明の実施の形態における掃除機本体に延長管の保持部を挿入した状態の断面図、図１０は、本発明の実施の形態における電気掃除機の収納状態の斜視図である。
【００１８】
図１〜４において、電気掃除機１００は、吸引風を発生させる電動送風機６を内蔵する掃除機本体５と、被清掃面の塵埃を吸引する床用吸込具１０１と、一端が床用吸込具１０１に着脱自在に接続される伸縮自在或いは継ぎ自在の延長管１０２と、一端が延長管１０２の他端に着脱自在に接続され、他端が掃除機本体５の前部に設けられた接続口１０３に着脱自在に接続されるホース１０４とから構成されている。
【００１９】
掃除機本体５の後方の両側面には、走行用の車輪１０５が回転自在に取り付けられ、掃除機本体５底面の前部には、走行用のキャスター１０６が取り付けられている。掃除機本体５の両側面には、車輪１０５を覆う側面カバー体４が固着されており、側面カバー体４には、車輪１０５の軸部を保持固定する軸固定爪１４を形成しており、軸固定爪１４を掃除機本体５側面から突出形成した軸ボス１６に嵌合することによって、側面カバー体４と掃除機本体５との間で車輪１０５を保持している。
【００２０】
側面カバー体４の前方側には、後述するハンドル１を回動可能に支持する支持部２が形成されている。側面カバー体４の前方側には、前方側に向かって開口する係止溝１３が形成され、係止溝１３に延長管１０２に設けたストッパー１７を係止して延長管１０２を保持可能にしている。
【００２１】
掃除機本体５の後面には、図３〜図７に示すように、掃除機本体５を直立状態に保持するための接地部１５を形成しており、接地部１５は、掃除機本体５後面上方に１箇所と、掃除機本体５後面下方に２箇所形成している。３箇所の接地部１５を接地させて掃除機本体５を直立状態にした状態では、後述する支持部２と、係止溝１３と、軸固定爪１４とが略鉛直線上に位置するように構成している。
【００２２】
ホース１０４の延長管１０２側端部には、使用者が掃除の際に握るホースハンドル部１１０を有する先端パイプ１１１が設けられ、ホース１０４の掃除機本体５側端部には、掃除機本体５の接続口１０３に着脱自在に接続される接続パイプ１１２が設けられている。
【００２３】
図４に示すように、掃除機本体５後部には、吸引風を発生させる電動送風機６を内蔵する電動送風機室７とコードリール１０を内蔵するコードリール室１１が設けられ、掃除機本体５前部には、塵埃を捕集する集塵袋８が着脱自在に配置される集塵室９が設けられている。
【００２４】
図５に示すように、掃除機本体５の前方には、使用者が掃除機本体５を持ち運ぶ際に把持する把手部３が形成されたハンドル１が配設されている。ハンドル１は、略コ字状に形成され、両端が掃除機本体５両側面と側面カバー体４との間に形成した支持部２により回動可能に挟持されている。ハンドル１は、掃除機本体５と側面カバー体４との間に挟持することにより強固に支持することができ、ハンドル１の軸の外れを防止することができると共に、支持部２の剛性を維持することができる。
【００２５】
ハンドル１は、図５（ａ）に示す上方に回動した位置と、図５（ｂ）に示す下方に回動した位置との間を回動可能としている。
【００２６】
掃除機本体５を車輪１０５とキャスター１０６とを接地させた状態で、図５（ａ）に示すように、ハンドル１を上方に回動することにより、把手部３の位置が高くなり、使用者が把手部３を把持しやすくできる。
【００２７】
掃除機本体５を直立させて床用吸込具１０１と延長管１０２を接続したホース１０４を掃除機本体５に接続し延長管１０２のストッパー１７を係止溝１３に係止した収納状態では、図５（ｂ）及び図７の実線で示す位置にハンドル１を回動すると、把手部３が収納状態の電気掃除機１００の重心１２の略鉛直線上の上方に位置するように設定している。
【００２８】
以上のように構成された電気掃除機について、以下、その動作及び作用を説明する。
【００２９】
電気掃除機１００を駆動すると、電動送風機６が駆動されて吸引風が発生し、被清掃面
の塵埃が床用吸込具１０１の下面に設けられた吸込口（図示せず）から吸引され、延長管１０２及びホース１０４を介して掃除機本体５の内部へと流入し、集塵袋８によって捕集される。掃除状態では、ハンドル１を掃除機本体５の上方側に回動させることにより、把手部３の位置を高くすることができ、使用者が把手部３を把持しやすくすることができ、掃除機本体５の移動性を向上することができる。
【００３０】
掃除機本体５を収納する際には、把手部３を把持して掃除機本体５後面の接地部１５が接地する直立状態にする。その際、掃除機本体５の自重によりハンドル１が直立状態における上方側に回動する。床用吸込具１０１と延長管１０２を接続したホース１０４を掃除機本体５に接続した状態で、延長管１０２のストッパー１７を係止溝１３に係止して収納状態にする。
【００３１】
従来の電気掃除機においては、把手部は掃除機本体の車輪が接地した状態で把持しやすいように掃除機本体の上方に位置しているのに対して、延長管係止用の係止溝は、掃除機本体の底面に形成されており、把手部を把持して収納状態の電気掃除機を持ち上げる際には、重量バランスが悪く、大きく傾斜して持ち運び難いと共に、傾斜が大きいために持ち運ぶ際の揺れ等により延長管の係止が外れて落下し、床面を傷つける虞があった。
【００３２】
また、電気掃除機が大きく傾くため、ストッパーと係止溝にかかる負荷が非常に大きくなる。過度な負荷によって、ストッパーや係止溝が破損したり、係止溝からストッパーが外れて落下したりする虞があるため、掃除機本体にホース、延長管、床用吸込具を接続した収納状態で持ち運ぶときには、片手で掃除機本体を運び、もう片手で延長管等を持って移動することになる。このとき、狭い通路を移動する際に電気掃除機が壁等にぶつかったり、両手が塞がっているためにドアを開ける際に電気掃除機を地面に置く必要がある等使い勝手が悪いものであった。
【００３３】
本発明の電気掃除機では、電気掃除機１００の収納状態で、把手部３の略下方に電気掃除機１００の重心位置が位置するよう構成しているので、収納状態で電気掃除機１００を持ち上げる際に電気掃除機１００が大きく傾くことなく、安定した状態を維持して移動可能となる。また、電気掃除機１００が傾くときに生じるストッパー１７と係止溝１３との間のねじれの力の発生を抑えることができるため、破損を抑制することができる。さらに、ハンドル１が回動可能となっているため、移動時に発生する振動をハンドル１の回動により吸収することができ、不意に電気掃除機１００が傾く等の不安定な状態になるのを防止でき、収納状態での運搬性を向上することができる。
【００３４】
以上のように本発明の電気掃除機では、安定的に持ち運びすることができるため、例えば収納状態で狭い通路を移動する際においても、電気掃除機１００を持っている片側のみを注意していれば良いために壁等にぶつかる危険性を抑制することができる。また、片手で安定に収納状態の電気掃除機１００を運搬できるため、電気掃除機１００を置くことなくドアを開けることができ、使い勝手を向上することができる。
【００３５】
本発明の電気掃除機１００の係止溝１３は、少なくともコードリール室１１側の側面カバー体４に形成することが好ましい。コードリール室１１の反対側に位置する電動送風機室７には重量物である電動送風機６が内蔵されており、床用吸込具１０１が接続された延長管１０２を軽量物であるコードリール１０が収納されるコードリール室１１側に係止することにより、電気掃除機１００を持ち運ぶ際の電気掃除機１００の左右方向の重量バランスを改善することができる。
【００３６】
また、係止溝１３は、両側の側面カバー体４に形成することもできる。両側の側面カバー体４に形成することにより、収納場所や使用状態などに応じて左右どちらの係止溝１３
にでも延長管１０２を係止することができ、使用勝手を向上することができる。
【産業上の利用可能性】
【００３７】
以上のように、本発明にかかる電気掃除機は、電気掃除機本体にホース、延長管及び床用吸込具を一体的に収納した状態での持ち運び性を向上できるため、特に家庭、業務用等の電気掃除機に有用である。
【符号の説明】
【００３８】
１  ハンドル
２  支持部
３  把手部
４  側面カバー体
５  掃除機本体
６  電動送風機
１３  係止溝
１４  軸固定爪
１７  ストッパー
１００  電気掃除機
１０１  床用吸込具
１０２  延長管
１０４  ホース
１０５  車輪
【図１】
2014200471.tif 000003
【図２】
2014200471.tif 000004
【図３】
2014200471.tif 000005
【図４】
2014200471.tif 000006
【図５】
2014200471.tif 000007
【図６】
2014200471.tif 000008
【図７】
2014200471.tif 000009
【図８】
2014200471.tif 000010
【図９】
2014200471.tif 000011
【図１０】
2014200471.tif 000012